(57)【要約】【課題】使用者が把持して操作するグリップ体と、伸張時に負荷を発生するゴムバンドと、が着脱自在に接続され、様々な身体運動に対応する種々の形状を有したグリップ体を選択して使用することができ、また、ゴムバンドを種々の不動物（柱等の構造物や、重量物等）に固定可能とすることで、小型化及び取扱性を向上しつつ自由な身体運動を可能とするトレーニング器具を提供する。【解決手段】輪状のゴムバンドと、前記ゴムバンドを挿通可能なカラビナと、前記カラビナを挿通可能な開口部及び把持部で構成されたグリップ体と、を有すること、を特徴とするトレーニング器具。【選択図】図１
2019000582.tif 000002
【特許請求の範囲】
【請求項１】
輪状のゴムバンドと、
前記ゴムバンドを挿通可能なカラビナと、
前記カラビナを挿通可能な開口部及び把持部で構成されたグリップ体と、を有すること、
を特徴とするトレーニング器具。
【請求項２】
前記ゴムバンドの伸び率が１０〜１００％であること、
を特徴とする請求項１に記載のトレーニング器具。
【請求項３】
前記ゴムバンドの長さが１５０〜２５０ｃｍであり、縦断面が縦寸法３〜１０ｍｍ及び横寸法５〜３０ｍｍの略長方形であること、
を特徴とする請求項１又は２に記載のトレーニング器具。
【請求項４】
前記カラビナの内部有効寸法が、縦寸法３０〜１００ｍｍ及び横寸法２０〜５０ｍｍであること、
を特徴とする請求項１〜３のうちいずれかに記載のトレーニング用具。
【発明の詳細な説明】
【技術分野】
【０００１】
本発明は、身体の筋肉を鍛えるためのトレーニング器具に関する。
【背景技術】
【０００２】
従来、身体能力の維持及び強化、また健康保持等を目的としたフィジカルトレーニング等は、種々の手法を用いた身体運動により行われている。当該手法としては、例えば腕立て伏せや腹筋といった身体のみを用いたベーシックな運動方法から、トレーニングを実施するための専用器具を用いた運動方法まで様々である。
【０００３】
上記トレーニングを実施するためのトレーニング器具としては、伸張時に所望の負荷を発生するゴムやスプリング等を備え、使用者がトレーニング器具を操作することにより当該負荷を運動部位に掛けるものが一般的に多く存在する。また、このようなトレーニング器具は、電気等のエネルギー供給を必要とせず、使用する場所が限定されず、また比較的低価格で購入可能なことら導入障壁も低い。
【０００４】
例えば特許文献１（特開２０１２−０１１１６０号公報）には、姿勢を安定させつつ、足腰の運動を立体的に行うことができる筋肉トレーニング器が開示されている。この筋肉トレーニング器は、足置き部材、該足置き部材に立設する支柱、該支柱に固定された引き張り部材、及び該引き張り部材の先端に接続された略環状の足掛け部、で構成され、使用者は足置き部材の上に乗って引き張り部材の伸張に伴う負荷を下半身に掛ける。
【先行技術文献】
【特許文献】
【０００５】
【特許文献１】特開２０１２−０１１１６０号公報
【発明の概要】
【発明が解決しようとする課題】
【０００６】
しかしながら、上記のような従来のトレーニング器具では、限定的な部位しか鍛えられず、身体運動の方法や幅も制限される。
【０００７】
特に特許文献１の筋肉トレーニング器では、引き張り部材が支柱を介して足置き部材に接続されているため、当該引き張り部材の一方を固定するために使用者が足置き部材に乗らなければならず、身体運動の動きや幅が制限される。また、足掛け部の形状が固定されているため、限定的な部位しか鍛えられない。
【０００８】
加えて、引き張り部材の固定が他部材との接続により行われているため、筋肉トレーニング器がどうしても大型化してしまい、収納性を含む取扱性の観点からも未だ改善の余地があった。
【０００９】
そこで、本発明は、上記問題に鑑みて創作されたものであり、小型化及び取扱性に優れ、動きや幅に制限の無い自由な身体運動を可能で、身体の様々な部分を鍛えることができるトレーニング器具を提供することを目的とする。
【課題を解決するための手段】
【００１０】
上記の課題を解決すべく、本発明は、
輪状のゴムバンドと、
前記ゴムバンドを挿通可能なカラビナと、
前記カラビナを挿通可能な開口部及び把持部で構成されたグリップ体と、を有すること、
を特徴とするトレーニング器具を提供する。
【００１１】
このような構成を有する本発明のトレーニング器具は、身体能力の維持及び強化、また健康保持等を目的としたフィジカルトレーニングを実施することができるものであって、伸張時に負荷を発生するゴムバンドの一方を不動物等に固定し、他方をカラビナに接続し、更に該カラビナに所望のグリップ体を接続して組み合わせることにより使用することができる。ゴムバンド及びカラビナの組合せにより、ゴムバンドに絡まることが無く動きや幅に制限の無い自由な身体運動が可能であり、身体の様々な部分を鍛えることができる。また、構成部品が簡素で、ゴムバンドの被固定部品を含まないため、小型化でき、取扱性に優れる。
【００１２】
具体的には、使用者がグリップ体を把持又は身体の所望の部位に装着して体のバランスを維持する態勢を取り、例えば両腕の上下左右運動や全身の軸回転等における身体運動を自由に行うことが可能である。これにより当該グリップ体から伝達される負荷が運動部位に掛り、トレーニングを達成することができる。
【００１３】
また、本発明のトレーニング器具においては、
前記ゴムバンドの伸び率が１０〜１００％であることが望ましい。更に、前記ゴムバンドの長さが５０〜４００ｃｍ（好ましくは１５０〜２５０ｃｍ）であり、縦断面が縦寸法３〜１０ｍｍ及び横寸法５〜３０ｍｍの略長方形であることが望ましい。
【００１４】
このような構成を有する本発明のトレーニング器具は、ゴムバンドによってトレーニングに必要な負荷及び伸びを十分得ることができる。また、確実に、ゴムバンドに絡まることが無く動きや幅に制限の無い自由な身体運動が可能であり、身体の様々な部分を鍛えることができる。特に上記の長さであれば、必要に応じて折り畳んだりして、成人が好適に使用可能である。
【００１５】
また、本発明のトレーニング器具においては、
前記カラビナの内部有効寸法が、縦寸法３０〜１００ｍｍ及び横寸法２０〜５０ｍｍであることが望ましい。
【００１６】
このような構成を有する本発明のトレーニング器具は、上記範囲の縦寸法を設けることにより、ゴムバンドと、グリップ体の開口部と、がカラビナ内で干渉することを防止でき、より確実に、ゴムバンドに絡まることが無く動きや幅に制限の無い自由な身体運動が可能であり、身体の様々な部分を鍛えることができる。
【発明の効果】
【００１７】
本発明によれば、使用者が把持して操作するグリップ体と、伸張時に負荷を発生するゴムバンドと、が着脱自在に接続され、様々な身体運動に対応する種々の形状を有したグリップ体を選択して使用することができ、また、ゴムバンドを種々の不動物（柱等の構造物や、重量物等）に固定可能とすることで、小型化及び取扱性に優れ、動きや幅に制限の無い自由な身体運動を可能で、身体の様々な部分を鍛えることができるトレーニング器具を実現できる。
【図面の簡単な説明】
【００１８】
【図１】本実施形態に係るトレーニング器具の概要を示す模式図である。
【図２】図１に示すカラビナ３の構造を示す平面図である。
【図３】図１に示すゴムバンド５の構造を示す図であって、図５（ａ）は、ゴムバンド５の断面形状を示す断面図であり、図５（ｂ）は、ゴムバンド５の全体を示す平面図である。
【図４】図１に示すグリップ体１１の側面図である。
【図５】本実施形態の本実施形態のトレーニング器具を組立てた状態を示す模式図である。
【図６】本実施形態のトレーニング器具を用いたトレーニング方法を示す模式図である。
【図７】グリップ体１１１の形状を示す平面図である。
【図８】グリップ体１１１が備える接続部１１３の構造を示す図であって、図８（ａ）は、接続部１１３の正面図であり、図８（ｂ）は、接続部１１３の側面図である。
【図９】グリップ体１１１を備えたトレーニング器具の使用方法を示す模式図である。
【図１０】片手のみで把持可能なグリップ体の構造を示す図であって、図１０（ａ）は、片手のみで把持可能なグリップ体の正面図であり、図１０（ｂ）は、片手のみで把持可能なグリップ体の側面図である。
【発明を実施するための形態】
【００１９】
以下、本発明に係るトレーニング器具の代表的な実施形態を、図１〜図１０を参照しながら詳細に説明する。但し、本発明は図示されるものに限られず、また、各図面は本発明を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００２０】
１．トレーニング器具の概要
図１を用いて本発明の代表的な実施形態に係るトレーニング器具の概要を説明する。図１は、本実施形態に係るトレーニング器具１の概要を示す模式図である。図１に示すとおり、本実施形態のトレーニング器具１は、身体能力の維持及び強化、また健康保持等を目的としたフィジカルトレーニングを実施するための器具であって、伸張時に負荷を発生するゴムバンド５の一方を固定し、他方にカラビナ３と接続し、更に該カラビナ３に複数種のグリップ体１１を接続して組み合わせることにより使用するものである。
【００２１】
２．トレーニング器具の構造
上述のとおり本実施形態のトレーニング器具は、使用者がゴムバンドと、グリップ体１１と、を所望のトレーニング内容及び身体能力に応じて選択し、組み合わせることができるため、使用者個々に応じたトレーニングに最適化して使用することができる。また、図１に示すとおり、本実施形態のトレーニング器具は、概ね中心で各部品を接続するカラビナ３と、トレーニング時に伸張による負荷を発生させるゴムバンド５と、使用者が把持してトレーニングを行うグリップ部１１と、から構成されている。
【００２２】
＜カラビナ３の構造＞
図２を用いてカラビナ３の構造について詳細に説明する。図２は、カラビナ３の構造を示す平面図である。図２に示すとおり、カラビナ３は、例えばＳＵＳ３０４等の耐蝕性を備える金属材料で構成された略環状の金属部品である。より具体的には、３〜２０ｍｍ、より好ましくは５〜１５ｍｍの直径を有する金属製の棒状部材を、一部に所定のスペースを設けつつ略環状に屈曲させて構成し、更に該スペースの開閉を行う略直線状の可動部７が接続されている。可動部７が閉じた状態では、可動部７と、これに対向する略直線状部分８とは、平行ではなく、例えば３〜２０°（好ましくは５〜１５°）の角度で位置している。
【００２３】
また、本実施形態に用いるカラビナ３は、後述するゴムバンド５及びグリップ体１１を接続することから、当該カラビナ３の内部有効寸法はゴムバンド５及びグリップ体１１の開口部１１Ｂ寸法を考慮して形成し、好ましくは、縦寸法Ｈ１が３０〜１００ｍｍ及び横寸法Ｗ１が２０〜５０ｍｍの範囲であることが望ましい。
【００２４】
可動部７と略直線状部分８とが所定の角度を有し、上記範囲の縦寸法Ｈ１を設けることにより、後述するゴムバンド５と、グリップ体１１の開口部１１Ｂと、がカラビナ３内で接触等の干渉発生を防止でき、また、上記範囲の横寸法Ｗ１を設けることにより、ゴムバンド５及びグリップ体１１の開口部１１Ｂがカラビナ３内の端部で所望の余裕を有しつつ配置することができる。
【００２５】
＜ゴムバンド５の構造＞
図３（ａ）及び（ｂ）を用いてゴムバンド５の構造について詳細に説明する。図３（ａ）及び（ｂ）は、ゴムバンド５の構造を示す図であって、図３（ａ）は、ゴムバンド５の断面形状を示す断面図であり、図３（ｂ）は、ゴムバンド５の全体を示す平面図である。
【００２６】
図３（ａ）及び（ｂ）に示すとおり、ゴムバンド５は、略矩形の断面形状を有し、かつ略輪状に形成された樹脂部品であって、例えば天然ゴムやシリコーンゴム等により形成されることが望ましい。当該ゴムバンド５の断面形状について、より具体的には、縦寸法Ｈ２が３〜１０ｍｍ及び横寸法Ｗ２が５〜３０ｍｍの範囲であることが好ましい。
【００２７】
また、当該ゴムバンド５の伸び率は、１０〜１００％、より好ましくは２０〜５０％であることが好ましい。ゴムバンド５の伸び率を１０％未満とすると、トレーニングに十分な負荷及び伸びを得ることができないため、運動に用いる器具に使用することが困難となる。また、ごゴムバンド５の伸び率が１００％を超えると、当該ゴムバンド５が過剰に伸びやすくなるため、トレーニング時の身体運動が困難になる。
【００２８】
また、ゴムバンド５は、アスカーＣ硬度を１５°〜４０°とすることが望ましい。このアスカーＣ硬度を１５°未満とすると、伸張時にトレーニングに必要な負荷を十分にかけることができなくなるため、トレーニングによる効果を発揮することが困難となる。一方、アスカーＣ硬度を４０°より大きくすると、伸び弾性係数を小さくするためにはゴムバンド５の縦寸法を小さくしなければない。
【００２９】
＜グリップ体１１の構造＞
次に、図４を用いてグリップ体１１の構造について詳細に説明する。図４は、グリップ体１１の側面図である。図４に示すとおり、グリップ体１１は、使用者がトレーニング時に把持する略棒状の部品であって、ゴルフグリップを模した形状となっている。また、当該グリップ体１１は、概ね使用者が把持してグリップ体１１を操作するための把持部１１Ａと、該把持部１１をカラビナ３と接続するための開口部１１Ｂと、から構成されている。
【００３０】
把持部１１Ａは、所定の長さを有する棒状の部品であって、本実施形態では先端部から後端部にかけて直径が大きくなり、テーパを有している。また、把持部１１Ａの表面には、例えば発泡樹脂や合成コルク等で構成されたグリップを被覆したり張り付けてもよい。よりゴルフクラブに近い感覚でのトレーニングを可能とするためには、グリップ体１１は、開口部１１Ｂを有する把持部１１Ａの表面に、ゴルフクラブに用いられるグリップを被覆し内部は接着剤等で接着・固定するのがよい。このような構造によれば、使用者がグリップ体１１を把持してトレーニングを行った際、把持部１１Ａの形状（テーパ）及び表面の素材（滑り止め）により、把持性を大幅に向上してグリップ体１１が手から離脱することを好適に抑制することができる。
【００３１】
開口部１１Ｂは、カラビナ３と接続するための略円環状部と、把持部１１Ａに固定する略蓋状部と、から構成されている。略円環状部は、カラビナ３を挿通可能かつ所定の余裕を備えた有効開口を具備し、略蓋状部は、把持部１１Ａの先端部に固定可能で、該略蓋状部を把持部１１Ａに固定することでグリップ体１１が構成されている。
【００３２】
３．トレーニング器具の使用方法
続いて、図５及び図６を用いて本実施形態におけるトレーニング器具１の使用方法について詳細に説明する。図５は、本実施形態のトレーニング器具１を組立てた状態を示す模式図であり、図６は、本実施形態のトレーニング器具１を用いたトレーニング方法を示す模式図である。
【００３３】
図５に示すとおり、上述したカラビナ３、ゴムバンド５、及びグリップ体１１の接続を行う。より具体的な手順は、まずゴムバンド５の一方の端部を、一定の強度を有する不動物９（柱や柵等）等に固定し、他方の端部をカラビナ３に接続する。トレーニング中にゴムバンド５と不動物９との固定が解除されないよう、当該ゴムバンド５の形状を利用して確実に固定する必要がある。
【００３４】
次に、グリップ体１１の先端部をカラビナ３に接近させ、当該グリップ体１１の開口部１１Ｂにカラビナ３を挿通させ、双方を固定する。この時、カラビナ３に接続されたゴムバンド５と、グリップ体１１の開口部１１と、が接触等の干渉を起こさないよう、カラビナ３内での配置に注意することが望ましい。上記手順の完了により、本実施形態におけるトレーニング器具１の組立てが完了する。
【００３５】
本実施形態のトレーニング器具１を用いたトレーニングは、使用者がグリップ体１１を把持して運動し、該グリップ体１１からカラビナ３を介して接続されたゴムバンド５の伸張による負荷を身体に掛けるものである。より具体的には、図６に示すとおり、使用者がグリップ体１１の把持部１１Ａを把持し、ゴムバンド５に所望のテンションを掛けつつ身体のバランスを容易に維持できるよう態勢を整える。
【００３６】
上記態勢を基本としつつ、使用者はグリップ体１１を把持した状態で身体運動（例えば両腕の上下左右運動、全身の軸回転等）を行い、当該グリップ体１１から伝達される負荷を運動部位に掛けることにより、トレーニングを行う。なお、上述のとおり本実施形態ではゴルフクラブを模した形状のグリップ体１１を用いているため、例えば当該グリップ体１１をゴルフクラブの把持方法と同様に把持し、更にゴルフスイング時と同様の態勢及びスイングを行うことによりトレーニングを行うこともできる。
【００３７】
また、グリップ体は必ずしも上述のようにゴルフクラブを模した形状である必要はなく、トレーニングの方法に応じて種々の形状を採用してもよい。以下、他の形状を採用したグリップ体１１１を備えるその他のトレーニング器具について説明する。
【００３８】
４．他のグリップ体１１１を備えたトレーニング器具
＜グリップ体１１１の構造＞
図７及び図８（ａ）及び（ｂ）を用いてグリップ体１１１の構造について詳細に説明する。図７は、グリップ体１１１の形状を示す平面図である。また、図８（ａ）及び（ｂ）は、グリップ体１１１が備える接続部１１３の構造を示す図であって、図８（ａ）は、接続部１１３の正面図であり、図８（ｂ）は、接続部１１３の側面図である。
【００３９】
図７に示すとおり、グリップ体１１１は、概ねカラビナ３と接続するための接続部１１３と、該接続部１１３に挿通されたワイヤ１１５と、該ワイヤ１１５の両端に固定された球状把持部１１７と、から構成されている。なお、基本的に上記接続部１１３と、ワイヤ１１５と、の接続は、当該ワイヤ１１５の略中間位置に接続部１１３が固定される。
【００４０】
ワイヤ１１５は、一定の強度を有する糸を複数撚って構成された綱状の部品（綱状体）であって、所定の長さ寸法を有している。当該ワイヤ１１５は、トレーニング中における使用者の汗を吸収しない樹脂材料（化学繊維等）等で形成された糸を用いて構成することが好ましい。
【００４１】
球状把持部１１７は、樹脂や木材等で形成された略球状の部品であって、人間の掌（平均的な成人の掌）に納まる大きさに形成することが好ましい。また本実施形態では特徴を有していないが、細部の形状についても、人間が掌で把持容易に形成（指に対応する凹凸等）してもよい。
【００４２】
接続部１１３は、上記ワイヤ１１５に固定された部品であって、当該接続部１１３を介してグリップ体１１１をカラビナ３に接続する。接続部１１３の構造についてより具体的には、図８（ａ）及び（ｂ）に示すとおり、概ねワイヤ１１５に固定される略円筒状の固定筒１１３Ａと、カラビナ３に接続する開口部１１３Ｂと、から構成されている。
【００４３】
上述のとおり、固定部１１３Ａは略円筒状の部品であって、両端部を連通する孔が内部に設けられている。また開口部１１３Ｂは、上記固定部１１３Ａの外部側面中央において上記孔の軸に対して略鉛直に固定された板に設けられおり、更に上記固定筒１１３Ａ及び開口部１１３Ｂは、耐蝕性を有する金属等で一体的に形成される。
【００４４】
＜使用方法＞
次に、図９を用いて、グリップ体１１１を備えたトレーニング器具の使用方法を説明する。図９は、グリップ体１１１を備えたトレーニング器具の使用方法を示す模式図である。図９に示すとおり、カラナビ３、ゴムバンド５、及びグリップ体１１１の接続を行う。カラナビ３とゴムバンド５との接続を行った後、該カラビナ３にグリップ体１１１の接続部１１３を接近させ、開口部１１３Ｂにカラビナ３を挿通させることにより双方を固定する。
【００４５】
上述の手順でトレーニング器具の準備を完了した後、使用者はグリップ体１１１が備える２つの球状把持部１１７それぞれを双方の掌で把持し、ゴムバンド５に所望のテンションを掛けつつ身体のバランスを容易に維持できるよう態勢を整える。
【００４６】
上記態勢を基本としつつ、使用者は球状把持部１１７を把持した状態で身体運動を行い、グリップ体１１１から伝達される負荷を運動部位に掛けることにより、トレーニングを行う。当該グリップ体１１１は、上述のとおりワイヤ１１５により分岐された２つの球状把持部１１７を備えているため、これを把持する両腕は、ワイヤ１１５の長さに応じて任意のポジショニングを行うことができる。これによって使用者は、より幅広い身体運動を行うことが可能となり、トレーニングの幅を一層拡大させることができる。
【００４７】
以上、本発明の一実施形態について図面を参照しつつ説明してきたが、本発明は、これらの実施形態に限定されるものではなく、特許請求の範囲の記載の精神及び教示を逸脱しない範囲でその他の改良例や変形例が存在する。そして、かかる改良例や変形例は全て本発明の技術的範囲に含まれることは、当業者にとっては容易に理解されるところである。
【００４８】
例えば、グリップ体は上述の構造に限定されず、使用者の所望のトレーニング方法に応じて適宜決定することができる。例えば、図１０（ａ）及び（ｂ）に示すような、片手のみで把持可能な形状のグリップ体とすれば、重点的に片手をトレーニングするためのトレーニング器具を構成することができる。また、ゴムバンド５は、使用者の身体能力及びトレーニングに用いる所望の負荷に応じて、断面や長さ等の各寸法を決定することにより、使用者のレベルに合わせたトレーニングを行うことができる。
【産業上の利用可能性】
【００４９】
本実施形態のトレーニング器具は、使用者が把持して操作するグリップ体と、伸張時に負荷を発生するゴムバンドと、が着脱自在に接続され、様々な身体運動に対応する種々の形状を有したグリップ体を選択して使用することができ、また、ゴムバンドを種々の不動物に固定可能であるため、小型化及び取扱性を向上しつつ自由な身体運動を可能とするものである。
【符号の説明】
【００５０】
１        トレーニング器具
３        カラビナ
５        ゴムバンド
７        可動部
８        略直線部
９        不動物
１１      グリップ体
１１Ａ    把持部
１１Ｂ    開口部
１１１    グリップ体
１１３    接続部
１１３Ａ  固定部
１１３Ｂ  開口部
１１５    ワイヤ
１１７    球状把持部
Ｈ１      縦寸法
Ｈ２      縦寸法
Ｗ１      横寸法
Ｗ２      横寸法
【図１】
2019000582.tif 000003
【図２】
2019000582.tif 000004
【図３】
2019000582.tif 000005
【図４】
2019000582.tif 000006
【図５】
2019000582.tif 000007
【図６】
2019000582.tif 000008
【図７】
2019000582.tif 000009
【図８】
2019000582.tif 000010
【図９】
2019000582.tif 000011
【図１０】
2019000582.tif 000012
【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
輪状のゴムバンドと、
前記ゴムバンドを挿通可能なカラビナと、
前記カラビナを挿通可能な開口部及び把持部で構成されたグリップ体と、を有し、
前記グリップ体がゴルフグリップの形状を有し、
前記ゴムバンドが、１５０〜２５０ｃｍの長さ、縦寸法が３〜１０ｍｍで横寸法が５〜３０ｍｍの略長方形の断面、及び１０〜１００％の伸び率を有し、
前記カラビナの内部有効寸法が、縦寸法３０〜１００ｍｍ及び横寸法２０〜５０ｍｍであること、
を特徴とするトレーニング器具。
【手続補正２】
【補正対象書類名】明細書
【補正対象項目名】００１３
【補正方法】変更
【補正の内容】
【００１３】
また、本発明のトレーニング器具においては、前記ゴムバンドの伸び率が１０〜１００％であることが望ましい。更に、前記ゴムバンドの長さが５０〜４００ｃｍ（好ましくは１５０〜２５０ｃｍ）であり、断面が縦寸法３〜１０ｍｍ及び横寸法５〜３０ｍｍの略長方形であることが望ましい。
【手続補正３】
【補正対象書類名】明細書
【補正対象項目名】００２７
【補正方法】変更
【補正の内容】
【００２７】
また、当該ゴムバンド５の伸び率は、１０〜１００％、より好ましくは２０〜５０％であることが好ましい。ゴムバンド５の伸び率を１０％未満とすると、トレーニングに十分な負荷及び伸びを得ることができないため、運動に用いる器具に使用することが困難となる。また、ゴムバンド５の伸び率が１００％を超えると、当該ゴムバンド５が過剰に伸びやすくなるため、トレーニング時の身体運動が困難になる。
【手続補正４】
【補正対象書類名】図面
【補正対象項目名】図２
【補正方法】変更
【補正の内容】
【図２】
2019000582.tif 000013
【手続補正書】
【提出日】平成30年2月9日(2018.2.9)
【手続補正１】
【補正対象書類名】特許請求の範囲
【補正対象項目名】全文
【補正方法】変更
【補正の内容】
【特許請求の範囲】
【請求項１】
輪状のゴムバンドと、
前記ゴムバンドを挿通可能なカラビナと、
前記カラビナを挿通可能な略円環状部からなる開口部及び把持部で構成されたグリップ体と、を有し、
前記グリップ体がゴルフグリップの形状を有し、
前記ゴムバンドが、１５０〜２５０ｃｍの長さ、縦寸法が３〜１０ｍｍで横寸法が５〜３０ｍｍの略長方形の断面、及び１０〜１００％の伸び率を有し、
前記カラビナが、縦寸法３０〜１００ｍｍ及び横寸法２０〜５０ｍｍの内部有効寸法を有し、略直線状の可動部と、前記可動部に対向しかつ５〜１５°の角度で位置する略直線状部と、で構成されていること、
を特徴とするトレーニング器具。